(57)【要約】【課題】ラップフィルムの巻き戻りや自己粘着を防止することができるラップフィルムケースを提供することにある。【解決手段】本発明のラップフィルムケース１０は、内部に収容されるラップフィルムの端部を取り出し可能な平面視矩形状の開口２を有する中空円筒状のケース本体１と、一端が開口２の一端側に回動自在に取り付けられ、他端が開口２の他端側との間でラップフィルム取り出しスリット（以下、スリット）を形成する内蓋３と、一端がケース本体１に開閉自在に設けられ、内蓋３およびスリットを覆う外蓋４とを備えている。外蓋４の他端部４ａには、スリットおよび外蓋４の端部から引き出されたラップフィルムの基端部を切断するための切断刃５が設けられている。ケース本体１の側面開口には、側面の開口を塞ぐためのキャップ７が設けられており、このキャップ７の円周方向には、ケース本体１の転動を防止するための足部８が設けられている。【選択図】  図１
2006264745.tif 000002
【特許請求の範囲】
【請求項１】
内部に収容されるラップフィルムの端部を取り出し可能な開口を有するケース本体と、
一端が前記開口の一端側に回動自在に取り付けられ、他端が前記開口の他端側との間でラップフィルム取り出しスリットを形成する内蓋と、
一端が前記ケース本体に開閉自在に設けられ、前記内蓋および前記ラップフィルム取り出しスリットを覆う外蓋と、
前記ラップフィルム取り出しスリットおよび前記外蓋の端部から引き出されたラップフィルムの基端部を切断するために前記外蓋の端部に設けられた切断刃と、
を備えたことを特徴とするラップフィルムケース。
【請求項２】
内部に収容されるラップフィルムの端部を取り出し可能な開口を有するケース本体と、
一端が前記開口の一端側に回動自在に取り付けられ、他端が前記開口の他端側との間でラップフィルム取り出しスリットを形成する内蓋と、
一端が前記内蓋に開閉自在に設けられ、前記内蓋の一部および前記ラップフィルム取り出しスリットを覆う外蓋と、
前記ラップフィルム取り出しスリットおよび前記外蓋の端部から引き出されたラップフィルムの基端部を切断するために前記外蓋の端部に設けられた切断刃と、
を備えたことを特徴とするラップフィルムケース。
【請求項３】
前記ケース本体の側面にはラップフィルムを取り出し可能な側面開口が形成され、当該側面開口にはラップフィルムのロール芯を支持するための円錐状の係止具を有するキャップが設けられた請求項１または２記載のラップフィルムケース。
【請求項４】
前記切断刃は、ラップフィルムの回転方向に対して前記切断刃の両端部から中心位置に向かってＶ字凹状に形成された請求項１から３のいずれかに記載のラップフィルムケース。
【請求項５】
前記キャップには、前記ケース本体の転動を防止するための足部が設けられた請求項１から４のいずれかに記載のラップフィルムケース。
【発明の詳細な説明】
【技術分野】
【０００１】
本発明は、食品の保存等に使用するラップフィルムを収納するためのラップフィルムケースに関する。
【背景技術】
【０００２】
従来、ラップフィルムを使い終わるとラップフィルムケースは廃棄処分となり、資源を有効利用できないという問題があった。また、使い捨てのラップフィルムケースは、その断面が四角形状の構造に起因して、把持しにくかったり、内部でラップフィルムの巻き戻りが起こりラップフィルム自体が自己粘着してしまったり等、使用しづらいという問題があった。これらの問題を解決するためのラップフィルムケースとして、丈夫で再利用可能であり、形状や構造に工夫がなされたラップフィルムケースが知られている（例えば、特許文献１，２参照。）。ここで、自己粘着とは、ラップフィルムどうしがくっついてしまうことをいう。
【０００３】
特許文献１に記載のラップフィルム用ケースは、芯体にラップフィルムを巻回してなるフィルムロールを収納する上面開口の箱体からなるケース本体と、一側縁を前記ケース本体の開口一側縁と結合し前記ケース本体に対し開閉自在の蓋体とから構成されている。ケース本体の他側縁には、収納するフィルムロールを被覆し外周を光沢面とする内蓋が結合されている。この内蓋により、蓋体を開ける際にフィルムロールが抜け出ることを防止することができるとともに、外周の光沢面にラップフィルムが密着し、ラップフィルムがケース内に巻き戻されることを防止することができるとしている。
【０００４】
特許文献２に記載のラップフィルムケースは、硬質で耐水性の材料で形成し、ヒンジを介して開閉可能なふたとケースを組み合わせて円筒箱状の容器とし、ラップフィルム引出口の近傍に摩擦帯電発生材を装備したものである。この摩擦帯電発生材により、摩擦帯電を起こしたラップフィルムどうしは、しばらくの間、反発し合って自己貼着を防止することができるとしている。
また、ケースのラップフィルム引出口近くの側壁には、任意の間隔をあけてノコ歯状刃が突設され、該ノコ歯状刃と咬合する表面が光沢で断面が逆Ｕ字形押圧具が、ふたの先端部に設けられている。
【０００５】
また、特許文献１，２に記載のラップフィルム用ケースまたはラップフィルムケースは、蓋が円筒状であり、ラップフィルムとの隙間が小さく、さらに、耐久性のある素材で形成されているため、何度も利用可能なものである。
【０００６】
【特許文献１】実開平７−２４７３５号公報
【特許文献２】特開２０００−２０３５９０号公報
【発明の開示】
【発明が解決しようとする課題】
【０００７】
特許文献１に記載されたラップフィルム用ケースの場合、内蓋を閉じてもケース本体の上部は開放状態となる。このため、ラップフィルムの先端がケース本体内に入り込んだり、巻き戻りが起こりやすくなったりして、ラップフィルムは自己粘着を起こしやすい。また、内蓋は巻き戻り防止機能として効果があるとしているが、蓋体や内蓋を開けた場合にはその効果は不充分である。
【０００８】
特許文献２に記載されたラップフィルムケースの場合、蓋を開けるとフラップフィルムが上側に開放状態となるため、巻き戻りが起こったり、ラップフィルムの端がケース内に入ったりして、ラップフィルムが自己粘着する恐れがある。また、蓋を開けたままラップフィルムを引き出し、これを切断するときに蓋が閉まるため、使用者は蓋を閉じたまま使用することができない。このため、使用者は、ラップフィルムケースを把持するときに充分に握ることができず、不安定となる。
【０００９】
本発明が解決しようとする課題は、ラップフィルムの巻き戻りや自己粘着を防止することができるラップフィルムケースを提供することにある。
【課題を解決するための手段】
【００１０】
本発明のラップフィルムケースは、内部に収容されるラップフィルムの端部を取り出し可能な開口を有するケース本体と、一端が開口の一端側に回動自在に取り付けられ、他端が開口の他端側との間でラップフィルム取り出しスリットを形成する内蓋と、一端がケース本体に開閉自在に設けられ、内蓋および前記ラップフィルム取り出しスリットを覆う外蓋と、ラップフィルム取り出しスリットおよび外蓋の端部から引き出されたラップフィルムの基端部を切断するために外蓋の端部に設けられた切断刃とを備えたことを特徴とする。
【００１１】
本発明においては、内蓋と外蓋とを備えて蓋を二重構造としてラップフィルム取り出しスリットを覆うことにより、ラップフィルム取り出しスリットから引き出されたラップフィルムの端部を内蓋とケース本体との間に挟むことができ、さらにこれをケース本体の外面と外蓋との間に挟むことができる。これにより、両蓋を閉じるとラップフィルムの端部は強固に抑えられているため、ケース本体内でのラップフィルムの巻き戻りを確実に防止して、ラップフィルムの自己粘着を防止することができる。また、使用時においては、上記のようにラップフィルムの端部は抑えられているため、ケース本体内で巻き戻ることなくラップフィルムを引き出すことができる。従って、使用者はラップフィルムの基端部を自己粘着していない状態で確実に切断することができる。
【００１２】
また、内蓋を閉じてケース本体の開口を塞ぐため、外蓋を開けてもラップフィルムの端部が誤ってケース本体の内部に入りこむことを防止することができ、ラップフィルムの自己粘着を確実に防止することができる。さらに外蓋を開けたとき、ラップフィルムの端部は、外蓋に誘導されてラップフィルム取り出しスリットから起立状態とすることができ、使用者が把持しやすい状態とすることができる。
【００１３】
また、本発明のラップフィルムケースは、内部に収容されるラップフィルムの端部を取り出し可能な開口を有するケース本体と、一端が開口の一端側に回動自在に取り付けられ、他端が開口の他端側との間でラップフィルム取り出しスリットを形成する内蓋と、一端が内蓋に開閉自在に設けられ、内蓋の一部およびラップフィルム取り出しスリットを覆う外蓋と、ラップフィルム取り出しスリットおよび外蓋の端部から引き出されたラップフィルムの基端部を切断するために外蓋の端部に設けられた切断刃と、を備えたことを特徴とする。
【００１４】
外蓋の一端を内蓋に開閉自在に設けても良く、前述のように、内蓋と外蓋とを備えて蓋を二重構造としてラップフィルム取り出しスリットを覆うことができる。このため、ラップフィルム取り出しスリットから引き出されたラップフィルムの端部を内蓋とケース本体との間に挟むことができ、さらにこれをケース本体の外面と外蓋との間に挟むことができる。従って、前述と同様の作用効果を得ることができる。
また、開口がラップフィルムよりも大きい場合、前述の効果を得ながらも、開口を通してケース本体へのラップフィルムの出し入れを行うことができる。
【００１５】
ここで、ケース本体の側面にはラップフィルムを取り出し可能な側面開口が形成され、この側面開口には、ラップフィルムのロール芯を支持するための円錐状の係止具を有するキャップを設ければ、円錐状の係止具をロール芯の径に合わせてラップフィルムを係止することができる。このため、ケース本体内での遊びがなくなり、ラップフィルムが無用に回転することを防ぎ、ラップフィルムの自己粘着を防止することができる。
【００１６】
さらに、切断刃を、ラップフィルムの回転方向に対してこの切断刃の両端部から中心位置に向かってＶ字凹状に形成することが望ましい。これにより使用者は、ラップフィルムの端部を切断刃の端部から手前に引っ張って容易に切断することができる。ここで、切断刃は、一つ一つの刃が多数連続して形成されたものである。
【００１７】
ここで、キャップには、ケース本体の転動を防止するための足部を設けることができる。これにより、使用後にテーブル等に載置しても、転動することを防止することができる。
【発明の効果】
【００１８】
本発明の最大の特徴は、ケース本体の開口に対して内蓋と外蓋とを設けて、二重の蓋構造としたことにある。ラップフィルムの端部をラップフィルム取り出しスリットから引き出してラップフィルムを切断した後、ラップフィルムの端部を内蓋とケース本体との間に挟み、さらにケース本体の外面と外蓋との間に挟むことができる。このため、ケース本体内でのラップフィルムの巻き戻りを確実に防止することができ、ラップフィルムの基端部を自己粘着していない状態で確実に切断することができる。さらに、再利用可能でデザイン性に優れたものとすることができ、贈答用の商品用ケース等として兼用することもできる。
【発明を実施するための最良の形態】
【００１９】
以下、図面に基づいて本発明の実施の形態について説明する。図１は本発明の第１の実施形態であるラップフィルムケースの内蓋と外蓋を開けた状態を示す斜視図、図２は図１に示すラップフィルムケースにラップフィルムを収容し内蓋を閉じた状態を示す斜視図、図３は図１におけるラップフィルムを収容した場合のＡ−Ａ線断面図であり、図４は図１におけるラップフィルムを収容した場合のＢ−Ｂ線断面図である。
【００２０】
図１〜図３に示すように、本発明の第１の実施形態のラップフィルムケース１０は、内部に収容されるラップフィルム９の端部９ａを取り出し可能な平面視矩形状の開口２を有する中空円筒状のケース本体１と、一端が開口２の一端側に回動自在に取り付けられ、他端が開口２の他端側との間で後述するラップフィルム取り出しスリット（以下スリットと称す。）Ｓを形成する内蓋３と、一端がケース本体１に開閉自在に設けられ、内蓋３およびスリットＳを覆う外蓋４とを備えている。ケース本体１は、内蓋３と同じ材質であり内側に備わる内ケース１ａと、外蓋４と同じ材質であり外側に備わる外ケース１ｂとにより構成されている。
【００２１】
外蓋４の他端部４ａには、スリットＳおよび外蓋４の端部から引き出されたラップフィルム９の基端部を切断するための切断刃５が設けられており、外蓋４の端部４ａ付近には、使用者が外蓋４を開閉するための突起６が設けられている。ケース本体１の側面には、開口が形成され、これを塞ぐためのキャップ７が設けられている。このキャップ７の円周方向には、ケース本体１の転動を防止するための足部８が設けられている。なお、開口２の大きさはラップフィルム９の大きさよりも小さくしており、外蓋４と内蓋３とを開けてもラップフィルム９が誤って外に出てしまうことを防止している。ラップフィルム９は、ケース本体１の側面開口から収容可能である。
【００２２】
また本実施形態においては、内蓋３と内ケース１ａは厚紙製であり、外蓋４と外ケース１ｂは樹脂製としているが、これに限定されるものではなく、いずれにおいても紙製、樹脂製、金属製等とすることもでき、それぞれの表面は耐水性加工を施すことが望ましい。さらに、内蓋３と外蓋４は、夫々の一端が粘着テープによりケース本体１に対し開閉可能に設けられているが、これに限定するものではなく、例えばヒンジ等を介して設けても良い。また、内蓋３は、円筒を平面視矩形状に切り抜いたものとし、切り抜かれた円筒を内ケース１ａとすれば、内蓋３と内ケース１ａとを隙間なく嵌合させて開口２を塞ぐことができる。ここで開口２の幅（内のり）は約２０ｍｍであり、これに嵌合するように内蓋３が形成されている。
【００２３】
さらに、切断刃５は、ラップフィルム９の回転方向に対してこの切断刃５の両端部から中心位置に向かってＶ字凹状に形成されている。これにより使用者は、ラップフィルム９の端部９ａを切断刃５の端部に当てやすくなり、手前に引っ張ることにより容易に切断することができる。
【００２４】
ここで、図４に示すように、キャップ７には、ラップフィルム９のロール芯１１を支持するための円錐状の係止具７ｂが設けられている。この係止具７ｂは、円錐状であるため、ロール芯１１の径に合わせてロール芯１１を円錐に嵌合させて係止することができる。これにより、ケース本体内１での遊びがなくなり、ケース本体１内でロール芯１１が無駄に動いたり巻き戻ったりすることを防止することができ、ラップフィルム９の自己粘着を防止することができる。
【００２５】
なお、図１に示すように、キャップ７は、ケース本体１の長手方向に対して段差を設けて形成され外蓋４の端部４ａを係止するためのストッパ７ａを備えている。ここで、内蓋３と外蓋４とを閉じて（図５）、ラップフィルム９の端部９ａを切断した後、キャップ７を図５において半時計回りに回せば、ストッパ７ａは、外蓋４の端部４ａに被覆して係止するようになっている。このため、ラップフィルムケース１０を使用しないときには、外蓋４が開くことを防止することができ、誤って外蓋４が開いてラップフィルム９が自己粘着することを防ぐことができる。
【００２６】
次に、図５を用いて、ラップフィルムケース１０の使用状態について説明する。図５に示すように、内蓋３と外蓋４とを閉じた状態で、ラップフィルム９の端部９ａを掴んで引き伸ばす。このとき、後述するラップフィルム取り出し器Ｔを用いれば引き出しやすい。ラップフィルム９は、開口２から必要な長さだけ引き出された状態で、切断刃５により切断される。ここで、開口２が塞がれた状態でラップフィルム９が引き出されるとき、内蓋３と内ケース１ａとの間にラップフィルム９の端部９ａが取り出し可能なスリットＳがあるので、このスリットＳにより、内蓋３を閉じた状態でもラップフィルム９を引き出すことができる。
【００２７】
さらに蓋は内蓋３と外蓋４との二重構造であるため、外蓋４を閉じるとき、この外蓋４とケース本体１との間にはラップフィルム９の端部９ａを挟持可能な挟持面Ｐが形成される。これにより、スリットＳから引き出されたラップフィルム９の端部９ａを、内蓋３と内ケース１ａとの間に挟み、さらに内ケース１ａの外面と外蓋４との間に挟むことができる。このため、ラップフィルム９の端部９ａは二重に強固に抑えられることとなり、ケース本体内１でのラップフィルム９の巻き戻りを確実に防止して、ラップフィルム９の自己粘着を防止することができる。また、使用時においては、上記のようにラップフィルム９の端部９ａは抑えられているため、使用者は、ケース本体１内で巻き戻ることなくラップフィルム９を引き出して、ラップフィルム９の基端部を確実に切断することができる。
【００２８】
また、開口２は内蓋３により塞がれているため、外蓋４を開けてもラップフィルム９の端部９ａが誤って開口２からケース本体１の内部に入りこむことを防止して、ラップフィルム９の自己粘着を確実に防止することができる。さらに外蓋４を開けたとき、ラップフィルム９の端部９ａは、外蓋４に誘導されて起立状態とすることができ、使用者が把持しやすい状態とすることができる。
【００２９】
なお、本実施形態においては、ケース本体１は内ケース１ａと外ケース１ｂとから構成されているが、内ケース１ａが耐水性であって硬性な材質であれば、ケース本体１を内ケース１ａのみとすることもできる。
【００３０】
次に、本発明の第２の実施形態のラップフィルムケース３０について、図６，図７を用いて説明する。図６は、本発明の第２の実施形態であるラップフィルムケースの内蓋と外蓋を開けた状態を示す斜視図、図７は図６におけるラップフィルムを収容した場合のＣ−Ｃ線断面図である。
【００３１】
図６，図７に示すように、本発明の第２の実施形態のラップフィルムケース３０は、内部に収容されるラップフィルム２９の端部２９ａを取り出し可能な平面視矩形状の開口２２を有する中空八角筒状のケース本体２１と、ケース本体２１の開口２２を開閉可能に開口２２の一端に設けられた内蓋２３と、この内蓋２３と同じ側に開閉し内蓋２３を被覆可能にケース本体２１に設けられた外蓋２４とを備えている。開口２２および内蓋２３は、八角筒状の８面のうち２面に渡って形成され（内のり約４０ｍｍ）、開口２２はラップフィルム２９よりも小さい。外蓋２４は、同様に３面に渡って形成されている。
【００３２】
また、第１の実施形態と同様に、外蓋２４の端部２４ａにはラップフィルム２９を切断するための切断刃２５が設けられており、外蓋２４の端部２４ａ付近には、使用者が外蓋２４を開閉するための突起２６が設けられている。ケース本体２１の側面開口には、これを塞ぐためのキャップ２７が設けられており、このキャップ２７の円周方向には、ケース本体２１の転動を防止するための足部２８が設けられている。この足部２８には、ラップフィルム２９のロール芯３１を支持するための円錐状の係止具（図示せず）が設けられている。ラップフィルムケース３０は、形状を断面八角形の筒状としたことにより、円筒形と同様に持ちやすく、その他の作用効果は第１の実施形態のラップフィルムケース１０と同様である。さらに、キャップ２７にはストッパ（図示せず）を設けて外蓋２４を係止する構造とすることもできる。
【００３３】
次に、本発明の第３の実施形態のラップフィルムケース５０について、図８，図９を用いて説明する。図８は本発明の第３の実施形態であるラップフィルムケースを示す斜視図であり、（ａ）は内蓋と外蓋とを開けた状態を示す図、（ｂ）は内蓋と外蓋とを閉じた状態を示す図である。また図９は第３の実施形態であるラップフィルムケースにラップフィルムを収容したことを示す図であり、（ａ）は図８におけるＤ−Ｄ線断面図、（ｂ）は（ａ）の内蓋が閉じて外蓋が開いていることを示す断面図、（ｃ）は図８におけるＥ−Ｅ線断面図である。
【００３４】
図８，図９に示すように、本発明の第３の実施形態のラップフィルムケース５０は、内部に収容されるラップフィルム５９の端部５９ａを取り出し可能な開口５２を有する八角筒状のケース本体５１と、一端が開口５２の一端側に回動自在に取り付けられ、他端が開口５２の他端側との間でスリットＳを形成する蓋５３と、一端が蓋５３に開閉自在に設けられ蓋５３の一部とスリットＳとを覆う外蓋５４とを備えている。蓋５３は、一端が開口５２の一端側に回動自在に取り付けられた第１の蓋５３ａと、この第１の蓋５３ａの他端側に取り付けられ開口５２の他端側との間でスリットＳを形成する第２の蓋５３ｂとから構成される。これらの第１の蓋５３ａと第２の蓋５３ｂとが内蓋として機能する。
【００３５】
また、外蓋５４の端部付近には、使用者が外蓋５４を開閉するための突起５６が設けられている。さらに、前述のような足部を設けることもできる。外蓋５４と第２の蓋５３ｂは、前述のように粘着テープにより設けられているが、ヒンジ等を介して設けても良い。
【００３６】
次に、外蓋５４と第１の蓋５３ａと第２の蓋５３ｂの開閉の状態について説明する。
（１）ラップフィルム５９をケース本体５１に出し入れするとき、外蓋５４を開けた後に、第１の蓋５３ａおよび第２の蓋５３ｂを開けて開口５２を全開にする。（図８（ａ），図９（ａ））。そしてラップフィルム５９を収納した後、ラップフィルム５９の端部５９ａを引き出して外蓋５４と第２の蓋５３ｂとを閉じる。ここで、第１の蓋５３ａを閉じたとき第２の蓋５３ｂも閉じて開口５２全体が塞がってスリットＳが形成され（図９（ｂ））、この後外蓋５４は第２の蓋５３ｂを被覆する。スリットＳからラップフィルム５９の端部５９ａを掴んで引き伸ばし、基端部を切断刃５５に当てて切断する（図８（ｂ），図９（ｃ））。ここで本実施形態においては、開口５２をケース本体５１の３面分（内のり約５０ｍｍ）の大きさとし、開口５２はラップフィルム５９を出し入れする目的でこれよりも大きいものとしている。
【００３７】
（２）切断後は、外蓋５４とケース本体５１との間にはラップフィルム５９の端部５９ａを挟持するための挟持面が形成されるため、スリットＳから取り出されたラップフィルム５９の端部５９ａを、第２の蓋５３ｂとケース本体５１との間に挟み、さらにケース本体５１の外面と外蓋５４との間に挟むことができる（図８（ｂ），図９（ｃ））。このように、ケース本体５１内でのラップフィルム５９の巻き戻りを確実に防止して、ラップフィルム５９の自己粘着を防止することができる。
【００３８】
（３）次に使用するときは、突起５６を摘んで外蓋５４のみを開けて、ラップフィルム５９の端部５９ａを掴んで引き出して前述の要領で切断する。ここで、外蓋５４を開けても、第２の蓋５３ｂは閉じたままであり開口５２は塞がれた状態となっている（図９（ｂ））。このため、第２の蓋５３ｂが閉じたままラップフィルム５９の端部５９ａをスリットＳから引き出すことが可能となる。これにより、外蓋５４を開けてもラップフィルム５９の端部５９ａが誤ってケース本体５１の開口５２から内部に入り込んだり、ラップフィルム５９が飛び出したりすることを防止でき、ラップフィルム５９の自己粘着を確実に防止することができる。
以上のように、蓋を外蓋５４と第２の蓋５３ｂとの二重構造とすることにより、使用者は、ラップフィルム５９の端部５９ａを自己粘着していない状態で確実に切断することができる。
【００３９】
また、本実施形態では、ケース本体５１の側面は塞がれており、ラップフィルム５９は開口５２から出し入れするものであるが、これに限定されるものではなく、側面を開口として前述のように係止部を有するキャップを設けても良く、ケース本体５１の側部側からラップフィルム５９を出し入れする構造としても良い。このとき、適宜前述の係止部を有するキャップを設けてロール芯６１を係止することもできる。
【００４０】
また、ラップフィルムケース１０，３０，５０においては、ラップフィルム９，２９，５９の端部９ａ，２９ａ，５９ａを引き出すときは、実用新案登録第３０１９２４１号に記載されたラップフィルム取り出し器Ｔを使用すると良い（図５参照）。このラップフィルム取り出し器Ｔは、取り出し板に剥離接着材が設けられて円弧形状に形成されており、前記端部９ａ，２９ａ，５９ａに押し当てて密着させることにより、指先で摘むことなく容易にスリットＳから引き出して切断することができる。ラップフィルムの切断後は、外蓋４，２４，５４を開けて、ラップフィルムの端部９ａ，２９ａ，５９ａにラップフィルム取り出し器Ｔを上から押し当てれば、ラップフィルム取り出し器Ｔはラップフィルムの端部９ａ，２９ａ，５９ａに接着する。そして外蓋４，２４，５４を閉じれば、この接着した状態でラップフィルム取り出し器Ｔはケース本体１，２１，５１と外蓋４，２４，５４とで挟持面において挟持された状態となる。従って、ラップフィルムの端部９ａ，２９ａ，５９ａはさらに巻き戻りにくくなり、自己粘着を防止することができる。
なお、ラップフィルム取り出し器Ｔは、ラップフィルムの端部９ａ，２９ａ，５９ａの下側から押し当てて使用することもできる。
【００４１】
次に、図１０，図１１を用いてラップフィルムケース１０の足部の他の実施形態について説明する。図１０は本発明の第１の実施形態であるラップフィルムケース１０の足部を他の実施形態としたことを示す斜視図であり、図１１はラップフィルムケース１０を冷蔵庫の正面に係止したことを示す側面図、図１２はラップフィルムケース１０を冷蔵庫の正面に係止したことを示す斜視図である。なお、図１０において、足部１０８以外は第１の実施形態のラップフィルムケース１０と同一であり、同一の符号を付してあるため、説明を省略する。
【００４２】
図１０，図１１に示すように、キャップ７に備わる足部１０８は、端部がケース本体１の長手方向の中心部に向かって垂下した断面Ｌ字状であり、冷蔵庫Ｒに設けられた係止具１０８ａに係止される。このため、ラップフィルムケース１０は、使用しないときには冷蔵庫Ｒ等に係止させることができる。従って、図１２に示すように、ラップフィルムケース１０を目につきやすいところに保管することができ、使用時には係止具１０８ａから外してすぐにラップフィルムケース１０からラップフィルムを取り出すことができる。ここで、係止具１０８ａは、足部１０８を係止可能で冷蔵庫の正面に貼着可能であれば材質や形状は特に限定されるものではなく、磁石やプラスチック等で形成することができる。また、足部１０８の形状は、これに限定されるものではなく、係止具に係止できる形状であれば、他の形状とすることもできる。なお、足部１０８は、本発明の第２の実施形態や第３の実施形態においても、使用することができる。
【００４３】
さらに、ラップフィルムケース１０，３０，５０は、ラップフィルムのみならず、アルミホイル等を収容して使用することもできる。また、円筒状または八角筒状とすることにより、使用者が把持しやすい形状とすることができるとともに、デザイン性に優れたものとすることができる。さらに、ケース本体１，２１，５１に化粧紙等を添付すると、見栄えが良く、さらにデザイン性を高めることができる。このため、他の商品を入れるための商品容器としても使用することができ、商品を出した後にはラップフィルムケース１０，３０，５０として使用することができ、特に贈答用の商品用ケースとして兼用することができる。また、ラップフィルムケース１０，３０，５０は、耐久性素材を使用すれば、廃棄処分せずに何度でも利用可能である。
【産業上の利用可能性】
【００４４】
本発明は、ラップフィルムの巻き戻りや自己粘着を防止することができ、何度でも利用可能なラップフィルムケースとして広く利用することができる。
【図面の簡単な説明】
【００４５】
【図１】本発明の第１の実施形態であるラップフィルムケースの内蓋と外蓋を開けた状態を示す斜視図である。
【図２】図１に示すラップフィルムケースにラップフィルムを収容し内蓋を閉じた状態を示す斜視図である。
【図３】図１におけるラップフィルムを収容した場合のＡ−Ａ線断面図である。
【図４】図１におけるラップフィルムを収容した場合のＢ−Ｂ線断面図である。
【図５】本発明の第１の実施形態であるラップフィルムケースの使用状態について示す図である。
【図６】本発明の第２の実施形態であるラップフィルムケースの内蓋と外蓋を開けた状態を示す斜視図である。
【図７】図６におけるラップフィルムを収容した場合のＣ−Ｃ線断面図である。
【図８】本発明の第３の実施形態であるラップフィルムケースを示す斜視図であり、（ａ）は内蓋と外蓋とを開けた状態を示す図、（ｂ）は内蓋と外蓋とを閉じた状態を示す図である。
【図９】本発明の第３の実施形態であるラップフィルムケースにラップフィルムを収容したことを示す図であり、（ａ）は図８におけるＤ−Ｄ線断面図、（ｂ）は（ａ）の内蓋が閉じて外蓋が開いていることを示す断面図、（ｃ）は図８におけるＥ−Ｅ線断面図である。
【図１０】本発明の第１の実施形態であるラップフィルムケースの足部を他の実施形態としたことを示す斜視図である。
【図１１】ラップフィルムケースを冷蔵庫の正面に係止したことを示す側面図である。
【図１２】ラップフィルムケースを冷蔵庫の正面に係止したことを示す斜視図である。
【符号の説明】
【００４６】
１０，３０，５０  ラップフィルムケース
１，２１，５１  ケース本体
１ａ  内ケース
１ｂ  外ケース
２，２２，５２  開口
３，２３  内蓋
４，２４  外蓋
４ａ，２４ａ  端部
５，２５，５５  切断刃
６，２６，５６  突起
７，２７  キャップ
７ａ  ストッパ
７ｂ  係止具
８，２８，１０８  足部
９，２９，５９  ラップフィルム
９ａ，２９ａ，５９ａ  端部
１１，３１，６１  ロール芯
５３  蓋
５３ａ  第１の蓋
５３ｂ  第２の蓋
５４  外蓋
１０８ａ  係止具
Ｐ  挟持面
Ｓ  ラップフィルム取り出しスリット
Ｔ  ラップフィルム取り出し器
Ｒ  冷蔵庫
【図１】
2006264745.tif 000003
【図２】
2006264745.tif 000004
【図３】
2006264745.tif 000005
【図４】
2006264745.tif 000006
【図５】
2006264745.tif 000007
【図６】
2006264745.tif 000008
【図７】
2006264745.tif 000009
【図８】
2006264745.tif 000010
【図９】
2006264745.tif 000011
【図１０】
2006264745.tif 000012
【図１１】
2006264745.tif 000013
【図１２】
2006264745.tif 000014